(57)【要約】【課題】  茶漉し器の着脱を容易にしつつ、快適に使用することができるティーポットを提供する。  【解決手段】  ポット本体１０と茶漉し器２０とを備えるティーポット１であって、本体把手１３は、ポット本体１０の側面から上方に隆起するように張り出す隆起部１３ａと、隆起部１３ａの先端側から垂下する保持部１３ｂとを備え、茶漉し器把手２２は、収容体２１の上部から水平方向に張り出す水平部２２ａと、水平部２２ａの先端側から垂下する垂直部２２ｂとを備えており、水平部２２ａは、基端側において隆起部１３ｂとの間に間隙を形成する一方、先端側において隆起部１３ｂに当接し、この状態で垂直部２２ｂが保持部１３ｂに接触するように構成されている。  【選択図】  図２
2010264135.tif 000002
【特許請求の範囲】
【請求項１】
ポット本体と、前記ポット本体に着脱可能に取り付けられる茶漉し器とを備え、
前記ポット本体は、注ぎ口、開口部および本体把手を有し、前記開口部が蓋体により開閉可能とされており、
前記茶漉し器は、開口縁にフランジ部を有する有底筒状の収容体と、前記収容体から張り出すように設けられた茶漉し器把手とを備え、前記フランジ部を前記ポット本体の前記開口部の周縁に係合させることにより、前記収容体が前記ポット本体内に保持されるティーポットであって、
前記本体把手は、前記ポット本体の側面から上方に隆起するように張り出す隆起部と、前記隆起部の先端側から垂下する保持部とを備え、
前記茶漉し器把手は、前記収容体の上部から水平方向に張り出す水平部と、前記水平部の先端側から垂下する垂直部とを備えており、
前記水平部は、基端側において前記隆起部との間に間隙を形成する一方、先端側において前記隆起部に当接し、この状態で前記垂直部が前記保持部に接触するように構成されたティーポット。
【請求項２】
前記本体把手は、前記茶漉し器把手と接触する部分が熱収縮チューブにより被覆されている請求項１に記載のティーポット。
【請求項３】
前記本体把手および前記茶漉し器把手はいずれも金属製であり、前記ポット本体および前記収容体に対して溶接により固定されている請求項１または２に記載のティーポット。
【請求項４】
前記蓋体は、前記ポット本体に対して回動自在に取り付けられており、回動軸が平面視における前記本体把手の張り出し方向と平行である請求項１から３のいずれかに記載のティーポット。
【発明の詳細な説明】
【技術分野】
【０００１】
本発明は、ティーポットに関する。
【背景技術】
【０００２】
従来のティーポットとして、紅茶や緑茶などの茶葉を収容する茶漉し器をポット本体の内部に装着可能な構成が知られている。例えば、特許文献１には、投入される茶葉の量に応じたお湯の量を示す目印を周壁に備える茶漉し器付きのティーポットが開示されている。
【先行技術文献】
【特許文献】
【０００３】
【特許文献１】特開２００９−５０３４３号公報
【発明の概要】
【発明が解決しようとする課題】
【０００４】
茶漉し器を備える従来のティーポットは、ポット本体からの茶漉し器の取り出しを容易にするために茶漉し器の把手を長くすると、この把手が邪魔になり易く、美観を損ねるおそれもあった。このため、特許文献１には、茶漉し器の把手の先端をポット本体の把手に接触させて、それぞれの把手を一体的に把持できるように構成されたティーポットが開示されている。
【０００５】
ところが、このティーポットに茶漉し器が装着された状態でお茶を注ごうとすると、茶漉し器の把手がポット本体の把手に対してがたつきを生じることがあり、使用感を損なうおそれがあった。
【０００６】
そこで、本発明は、茶漉し器の着脱を容易にしつつ、快適に使用することができるティーポットの提供を目的とする。
【課題を解決するための手段】
【０００７】
本発明の前記目的は、ポット本体と、前記ポット本体に着脱可能に取り付けられる茶漉し器とを備え、前記ポット本体は、注ぎ口、開口部および本体把手を有し、前記開口部が蓋体により開閉可能とされており、前記茶漉し器は、開口縁にフランジ部を有する有底筒状の収容体と、前記収容体から張り出すように設けられた茶漉し器把手とを備え、前記フランジ部を前記ポット本体の前記開口部の周縁に係合させることにより、前記収容体が前記ポット本体内に保持されるティーポットであって、前記本体把手は、前記ポット本体の側面から上方に隆起するように張り出す隆起部と、前記隆起部の先端側から垂下する保持部とを備え、前記茶漉し器把手は、前記収容体の上部から水平方向に張り出す水平部と、前記水平部の先端側から垂下する垂直部とを備えており、前記水平部は、基端側において前記隆起部との間に間隙を形成する一方、先端側において前記隆起部に当接し、この状態で前記垂直部が前記保持部に接触するように構成されたティーポットにより達成される。
【発明の効果】
【０００８】
本発明によれば、茶漉し器の着脱を容易にしつつ、快適に使用することができるティーポットを提供することができる。
【図面の簡単な説明】
【０００９】
【図１】本発明の一実施形態に係るティーポットの斜視図である。
【図２】上記ティーポットの蓋体を開けた状態を示す斜視図である。
【図３】上記ティーポットの茶漉し器を取り除いた状態を示す斜視図である。
【図４】上記ティーポットの側面図である。
【図５】上記ティーポットが備える茶漉し器の側面図である。
【発明を実施するための形態】
【００１０】
本発明の実施の形態について、添付図面を参照しながら説明する。図１および図２は、本発明の一実施形態に係るティーポットの斜視図であり、図２は、蓋体を開けた状態を示している。図１および図２に示すように、ティーポット１は、ポット本体１０と、ポット本体１０に着脱可能に取り付けられる茶漉し器２０とを備えている。尚、以下の説明において方向に関する記載は、ティーポット１を水平面に載置した状態で表している。
【００１１】
図３は、図２に示すティーポット１から茶漉し器２０を取り除いたポット本体１０の斜視図である。図３に示すように、ポット本体１０は、側面に形成された注ぎ口１１と、上部に形成された開口部１２と、開口部１２の中心を挟んで注ぎ口１１と反対側の側面に固定された本体把手１３とを備えており、ステンレス等の金属材料から構成されている。
【００１２】
注ぎ口１１は、ポット本体１０の内周面に形成された排出口１４と連通している。排出口１４は、頂部１４ａが下方に位置する逆三角形状に形成されており、頂部１４ａがポット本体１０の底部付近まで延びるように大きく開口することで、注ぎ口１１までの流路内の洗浄が容易とされている。
【００１３】
開口部１２は、ポット本体１０の上部において径方向内方に突出するように設けられた内方フランジ１５の中央に形成されており、内方フランジ１５は、開口部１２の周縁に一段下がった段部１５ａを有している。開口部１２は、下面の周縁部が段部１５ａと当接する蓋体２により覆うことができる。
【００１４】
蓋体２は、上面中央から上方に突出する摘み部２ａを備えており、内方フランジ１５の側面にヒンジ部２ｂを介して取り付けられることにより、開口部１２を開閉可能に構成されている。摘み部２ａは、シリコーンゴムやポリエチレン等の公知の材料からなる熱収縮性チューブ２ｃにより被覆されており、上方に向けて断面積が拡がるように逆テーパ状に形成することで、装着された熱収縮性チューブ２ｃが脱落し難いように構成されている。熱収縮性チューブ２ｃは、摘み部２ａに装着した後、ドライヤー等で高温にて収縮させることにより、摘み部２ａに密着している。
【００１５】
ヒンジ部２ｂは、内方フランジ１５の外周に沿って注ぎ口１１と本体把手１３との略中間位置（すなわち、注ぎ口１１から開口部１２の中心を中心として約９０度回転した位置）に設けられており、蓋体２の回動軸が平面視における本体把手１３の張り出し方向と略平行になるように構成されている。
【００１６】
本体把手１３は、細長の板状体を折り曲げた形状を有しており、一端側がポット本体１０の側面に溶接等により固定されている。本体把手１３の基端部（接続部）は、図１に示すように上方に向けて折り曲げた形状であることが好ましく、基端面が後述する茶漉し器２０の茶漉し器把手２２の下面を支持するように形成されている。
【００１７】
本体把手１３の基端側（ポット本体１０との接続側）には、径方向外方に張り出しながら上方に隆起するように湾曲する隆起部１３ａが形成されており、隆起部１３ａの先端側には、下方に向けて垂下する保持部１３ｂが形成されている。保持部１３ｂは、鉛直方向に沿って延びるように直線状に形成されていることが好ましいが、必ずしも水平面に対して完全に垂直である必要はなく、若干傾斜していてもよい。本体把手１３には、基端部か
ら先端部までの略全体を覆うように熱収縮性チューブ１３ｃが被覆されており、摘み部２ａの場合と同様にドライヤー等で高温収縮させることにより、熱収縮性チューブ１３ｃを本体把手１３に密着させることができる。本実施形態においては、本体把手１３の先端部がポット本体１０の側面に固定されていないが、本体把手１３の厚みを確保することで、ポット本体１０内をお湯で満たした状態でも本体把手１３の十分な強度を得ることができる。
【００１８】
また、ポット本体１０の内方フランジ１５における本体把手１３の直上位置には、蓋体２を閉じた状態でポット本体１０の内外を連通する切欠部１６が形成されている。
【００１９】
茶漉し器２０は、図４に側面図で示すように、網材やパンチングメタルなどの多孔性部材により形成された有底筒状の収容体２１と、収容体２１から径方向外方に張り出すように設けられた茶漉し器把手２２とを備えている。収容体２１の上部開口縁にはフランジ部２３が設けられており、このフランジ部２３を図３に示すポット本体１０の段部１５ａに係合させることで、茶漉し器２０がポット本体１０内に懸吊状態で保持される。収容体２１の内周面及び外周面には、上下方向に延びる帯状の補強板２４と、周方向に延びる帯状の目印板２５とが設けられている。
【００２０】
茶漉し器把手２２は、細長の板状体を折り曲げた形状を有しており、フランジ部２３にリベットや溶接等で固定されている。茶漉し器把手２２の基端側（収容体２１との接続側）には、水平方向に延びる水平部２２ａが形成されており、水平部２２ａの先端側には、下方に向けて垂下する垂直部２２ｂが形成されている。垂直部２２ｂは、本体把手１３の保持部１３ｂと長手方向の全体にわたって接触できるように形成されており、保持部１３ｂと同様に鉛直方向に沿って直線状に形成されていることが好ましいが、必ずしも水平面に対して完全に垂直である必要はなく、若干傾斜していてもよい。
【００２１】
このように構成された茶漉し器２０は、収容体２１がポット本体１０の内部に保持された状態で、図１に示すように茶漉し器把手２２の基端部がポット本体１０の切欠部１６に収容され、漉し器把手２２の大部分が露出して本体把手１３を覆うように配置される。
【００２２】
図５は、ティーポット１の側面図である。本体把手１３の隆起部１３ａは、最上部Ｔにおいて茶漉し器把手２２の水平部２２ａの下面側と当接して茶漉し器把手２２を支持する一方、ポット本体１０との接続部から最上部Ｔまでの間は、茶漉し器把手２２の水平部２２ａとの間に間隙を形成する。また、本体把手１３の保持部１３ｂは、茶漉し器把手２２の垂直部２２ｂと平行に延びており、垂直部２２ｂの略全体が保持部１３ｂの表面に接触している。
【００２３】
上記構成を備えるティーポット１を使用する場合、従来の茶漉し器付きティーポットと同様に茶漉し器２０の収容体２１に紅茶等の茶葉を適量入れて、この収容体２１をポット本体１０内に収容した後、開口部１２からお湯を注ぎ入れる。ティーポット１の蓋体２を開けた状態では、図２に示すように、収容体２１の内周面に設けられた目印板２５を目視できるため、この目印板２５を目安に適量のお湯を入れることができる。
【００２４】
茶漉し器２０が装着された状態でお茶を注ぐ場合には、蓋体２を閉じた状態で本体把手１３および茶漉し器把手２２を一体的に把持する。本体把手１３の隆起部１３ａは、ポット本体１０との接続部から最上部Ｔまでの間において茶漉し器把手２２の水平部２２ａとの間に間隙を有しているため、本体把手１３および茶漉し器把手２２を把持して水平部２２ａを親指で押圧した際に、水平部２２ａが若干撓んだ状態になって押圧力が吸収される。したがって、本体把手１３と茶漉し器把手２２との片当たりによるがたつきを防止することができ、使用者の不安感を解消することができる。
【００２５】
また、茶漉し器把手２２の垂直部２２ｂは、本体把手１３の保持部１３ｂと上下方向の略全体にわたって接触するため、この構成からもがたつきを効果的に防止することができる。更に、本実施形態においては、本体把手１３の保持部１３ｂが熱収縮性チューブ１３ｃにより被覆されているため、この熱収縮性チューブ１３ｃの弾性力により垂直部２２ｂと保持部１３ｂとをより確実に密着させることができる。
【００２６】
このように、本実施形態のティーポット１は、本体把手１３および茶漉し器把手２２が確実に一体化されるため、ポット本体１０に茶漉し器２０が装着された状態においても、茶漉し器把手２２が違和感を生じさせることなくお茶を快適に注ぐことができる。
【００２７】
茶漉し器２０を装着して所定時間が経過した後は、再び蓋体２を開けて茶漉し器把手２２を持ち上げることにより、収容体２１をポット本体１０から取り出す。隆起部１３ａと水平部２２ａとの間の上記隙間によって、茶漉し器把手２２のみを容易に持ち上げることが可能である。
【００２８】
本実施形態の構成は、左手で摘み部２ａをつまんで蓋体２を開閉すると共に、右手で茶漉し器把手２２を持ち上げることができるように、ヒンジ部２ｂを注ぎ口１１から平面視左回りに９０度の位置に設けているが、ヒンジ部２ｂを注ぎ口１１から平面視右回りに９０度の位置に設けた構成であってもよい。
【符号の説明】
【００２９】
１  ティーポット
２  蓋体
２ｂ  ヒンジ部
１０  ポット本体
１１  注ぎ口
１２  開口部
１３  本体把手
１３ａ  隆起部
１３ｂ  保持部
２０  茶漉し器
２１  収容体
２２  茶漉し器把手
２２ａ  水平部
２２ｂ  垂直部
【図１】
2010264135.tif 000003
【図２】
2010264135.tif 000004
【図３】
2010264135.tif 000005
【図４】
2010264135.tif 000006
【図５】
2010264135.tif 000007